(57)【要約】【課題】  内部にゴミ袋を配置するゴミ箱において、ゴミ袋をゴミ箱から取り出す際の作業性を向上させる。【解決手段】  両端が開口した筒状の側壁部１１と、側壁部１１に切れ込みを設けることで側壁部１１の一部として構成され、ユーザがつかむことができる把持部１２とを設けるゴミ箱とする。側壁部１１にゴミ袋２０を固定する場合には、側壁部１１の内側にゴミ袋２０を配置し、ゴミ袋２０の開口端部を側壁部１１の一端側で側壁部１１の表面側に折り返し、把持部１２を側壁部１１から外側に開いた状態で把持部１２と側壁部１１との間に配置し、把持部１２を側壁部１１と同一面に戻すとともに、側壁部１１とゴミ袋２０との固定を外す場合には、把持部１２を側壁部１１から外側に開く。【選択図】図１
2007137594.tif 000002
【特許請求の範囲】
【請求項１】
内部にゴミ袋（２０）を配置して用いられるゴミ箱であって、
両端が開口した筒状の側壁部（１１）と、前記側壁部（１１）に切れ込みを設けることで前記側壁部（１１）の一部として構成されるとともに、ユーザがつかむことができる把持部（１２）とを備え、
内部に前記ゴミ袋（２０）を配置する場合には、前記側壁部（１１）の内側に前記ゴミ袋（２０）を配置し、前記ゴミ袋（２０）の開口端部を前記側壁部（１１）の一端側で前記側壁部（１１）の表面側に折り返し、前記把持部（１２）を前記側壁部（１１）から外側に開いた状態で前記把持部（１２）と前記側壁部（１１）との間に配置し、前記把持部（１２）を前記側壁部（１１）と同一面に戻して前記ゴミ袋（２０）を前記側壁部（１１）に固定するとともに、
前記ゴミ袋（２０）を取り外す場合には、前記把持部（１２）を前記側壁部（１１）から外側に開いて前記ゴミ袋（２０）と前記側壁部（１１）との固定を解除することを特徴とするゴミ箱。
【請求項２】
前記側壁部（１１）および前記把持部（１２）は、凹凸状シート（１０１）とその両面に接合された２枚の平坦状シート（１０２、１０３）とから構成される合成樹脂製気泡ボード（１００）から構成されていることを特徴とする請求項１に記載のゴミ箱。
【発明の詳細な説明】
【技術分野】
【０００１】
本発明は、内部にゴミ袋を配置して用いられるゴミ箱に関する。
【背景技術】
【０００２】
従来より、上部が開口したゴミ箱に使い捨てのゴミ袋を取り付けて用いることが行われている。このような場合、必要に応じてゴミ箱の開口部からゴミ袋を取り出して廃棄し、ゴミ袋に新しいゴミ袋を取り付ける。
【発明の開示】
【発明が解決しようとする課題】
【０００３】
しかしながら、ゴミ袋がゴミで一杯になっている場合には、ゴミ箱の開口部からゴミ袋を持ち上げて取り出す際に、ゴミ袋からゴミがオーバーフローしてこぼれる可能性がある。特に生ゴミやお茶ガラなどのゴミは、こぼれた後の処理が大変である。
【０００４】
また、ゴミ箱からゴミ袋を取り出す際に、ゴミ袋の下端をゴミ箱の上端開口部より上に持ち上げる必要があるため、ゴミ箱やゴミ袋が大きいサイズの場合には作業性が悪いという問題がある。
【０００５】
そこで、本発明は上記点に鑑み、内部にゴミ袋を配置するゴミ箱において、ゴミ袋をゴミ箱から取り出す際の作業性を向上させることを目的とする。
【課題を解決するための手段】
【０００６】
上記目的を達成するため、本発明の第１の特徴は、内部にゴミ袋（２０）を配置して用いられるゴミ箱であって、両端が開口した筒状の側壁部（１１）と、側壁部（１１）に切れ込みを設けることで側壁部（１１）の一部として構成されるとともに、ユーザがつかむことができる把持部（１２）とを備え、内部にゴミ袋（２０）を配置する場合には、側壁部（１１）の内側にゴミ袋（２０）を配置し、ゴミ袋（２０）の開口端部を側壁部（１１）の一端側で側壁部（１１）の表面側に折り返し、把持部（１２）を側壁部（１１）から外側に開いた状態で把持部（１２）と側壁部（１１）との間に配置し、把持部（１２）を側壁部（１１）と同一面に戻してゴミ袋（２０）を側壁部（１１）に固定するとともに、ゴミ袋（２０）を取り外す場合には、把持部（１２）を側壁部（１１）から外側に開いてゴミ袋（２０）と側壁部（１１）との固定を解除することである。
【０００７】
このような構成により、ゴミ箱からゴミ袋（２０）を分離する際に、ゴミ箱を持ち上げればよく、ゴミ袋（２０）を持ち上げる必要がない。このため、ゴミ箱とゴミ袋（２０）とを分離する際に、ゴミ袋（２０）から内容物がこぼれることを防止できる。
【０００８】
また、本発明の第２の特徴は、側壁部（１１）および把持部（１２）は、凹凸状シート（１０１）とその両面に接合された２枚の平坦状シート（１０２、１０３）とから構成される合成樹脂製気泡ボード（１００）から構成されていることである。このような気泡ボード（１００）は、耐圧縮性、耐衝撃性に優れているのでゴミ箱に必要な強度が得られ、さらに気泡ボード（１００）は軽量であるので、ユーザが容易に持ち上げることができる。
【０００９】
なお、上記各手段の括弧内の符号は、後述する実施形態に記載の具体的手段との対応関係を示すものである。
【発明を実施するための最良の形態】
【００１０】
以下、本発明の一実施形態について図１〜図５に基づいて説明する。
【００１１】
図１は、本実施形態のゴミ箱１０の斜視図である。図１に示すように、本実施形態のゴミ箱１０は、４枚の板状の側壁部１１からなる筒形状に構成されている。ゴミ箱１０の上端と下端は開口している。ゴミ箱１０は側壁部１１が地面に対して垂直となった状態で用いられる。
【００１２】
本実施形態のゴミ箱１０は、ゴミ袋２０を内部に収納して用いるように構成されている。ゴミ袋２０は合成樹脂製フィルムからなるゴミ袋を好適に用いることができる。ゴミ袋２０として例えば自治体指定のゴミ袋を用いれば、そのままゴミ出しすることができる。
【００１３】
ゴミ箱１０の各部寸法は、ゴミの種類や使用場所などに応じて任意に設定することができる。本実施形態のゴミ箱１０は、高さは６０ｃｍであり、開口部が３０ｃｍ四方の正方形となっている。また、ゴミ袋２０は９０リットルのものを用いている。
【００１４】
ゴミ箱１０において対向する２枚の側壁部１１には、把持部１２が設けられている。把持部１２は、側壁部１１に大きさの異なる２本のコの字状の切れ込みを平行に設けることで、側壁部１１の一部を利用して形成されている。把持部１２は、側壁部１１の上端から１／５程度の位置に設けられている。把持部１２は、ユーザがゴミ箱１０を移動させる際につかむ取手としての機能と、ゴミ箱１０にゴミ袋２０を取り付けた際にゴミ袋２０を固定する機能とを有している。
【００１５】
ゴミ箱１０は合成樹脂製気泡ボード１００から構成されている。図２（ａ）は合成樹脂製気泡ボード１００の斜視図であり、図２（ｂ）は合成樹脂製気泡ボード１００を分解した状態を示す斜視図である。
【００１６】
図２（ａ）、図２（ｂ）に示すように、気泡ボード１００は合成樹脂製中空板から構成されている。このような気泡ボード１００として、プラパール（登録商標）の商品名で知られているものを用いることができる。気泡ボード１００は、凹凸シート１０１と、凹凸シート１０１の両面に接合された２枚の平坦シート１０２、１０３とからなる３層構造となっている。凹凸シート１０１には複数の中空状（例えば円柱状）の突起部がエンボス加工されており、凹凸シート１０１の突起部開口側（図２の下側）に平坦シート１０３が接合され、これにより空気が封入された密閉空間１０４が形成される。
【００１７】
このような構成により、気泡ボード１００は、軽量であり、また耐圧縮性、耐衝撃性に優れるという特性を有している。合成樹脂としては、ポリエチレンやポリプロピレンといったポリオレフィン系重合体や再生ＰＥＴのような分解性プラスチックを用いることができる。本実施形態では合成樹脂としてポリプロピレンを用いている。
【００１８】
このような構成の気泡ボード１００としては、単位面積当り重量（目付重量）が２００グラム／ｍ2〜３０００グラム／ｍ2程度のものがよく知られている。気泡ボード１０は軟質の肉厚シートから構成され曲げ剛性を有しており、薄肉シートから構成され柔軟性を有する気泡シートと区別される。なお、本明細書中において合成樹脂製中空板とは、目付重量が２００グラム／ｍ2以上の気泡ボードを意味するものとする。
【００１９】
図３は、ゴミ箱１０の展開図である。図３に示すように、ゴミ箱１０は気泡ボード１００からなる一枚の板状部材から構成されている。一枚の気泡ボード１００に罫線加工して折り目を形成することで、４枚の側壁部１１が形成される。把持部１２は、打ち抜き加工などによって形成する。一端側の側壁部１１の側辺には接続部１３が設けられており、接続部１３が他端側の側壁部１１と接続される。この接続は、熱融着、リベット、面ファスナ、接着剤などを用いて行うことができる。これにより、筒状のゴミ箱１０が形成される。また、本実施形態のゴミ箱１０は、２つの側壁部１１が並んだ状態に折り畳んで、２枚の気泡ボード１００の厚みにすることができる。
【００２０】
次に、ゴミ箱１０にゴミ袋２０を取り付ける手順について説明する。図４（ａ）〜（ｄ）は、ゴミ箱１０へのゴミ袋２０の取付順序を説明するための説明図である。
【００２１】
まず、ゴミ箱１０の上端の開口部からゴミ袋２０をゴミ箱１０の内部に入れる（図４（ａ））。このとき、ゴミ袋２０の開口端部が上方に位置するようにする。次に、把持部１２を外側に広げ（図４（ｂ））、ゴミ袋２０の開口端部を下方に折曲げて側壁部１１と把持部１２との間に挿入する（図４（ｃ））。次に、外側に広げた把持部１２を元に戻し、側壁部１１と把持部１２との間にゴミ袋２０の開口端部を挟み込んだ状態で把持部１２を側壁部１１にはめ込み、把持部１２を側壁部１１と同一面にする（図４（ｄ））。これにより、ゴミ袋２０が側壁部１１と把持部１２の間に挟まれた状態で固定される。
【００２２】
次に、ゴミ箱１０とゴミ袋２０とを分離する手順について説明する。図５（ａ）〜（ｄ）は、ゴミ箱１０へのゴミ袋２０の取外し順序を説明するための説明図である。
【００２３】
まず、把持部１２を外側に広げる（図５（ａ））。これにより、把持部１２による固定が外れ、ゴミ袋２０の開口端部が自由になる。次に、ゴミ袋２０の開口端部を上方に伸ばす（図５（ｂ））。このとき、必要に応じてゴミ袋２０の開口端部を結んでもよい。次に、把持部１２をつかみ、ゴミ箱１０を上方に移動させる（図５（ｃ））。このとき、ゴミ箱１０を斜め上方に持ち上げてもよい。本実施形態のゴミ箱１０は上端のみならず下端も開口しているので、ゴミ箱１０を上方に移動させることで、ゴミ袋２０がそのまま後に残り、ゴミ箱１０をゴミ袋２０から分離することができる。
【００２４】
以上の構成により、ゴミ箱１０とゴミ袋２０とを分離する際に、ゴミ袋２０を持ち上げる必要がない。このため、ゴミ箱１０とゴミ袋２０とを分離する際に、ゴミ袋２０から内容物がこぼれることを防止できる。さらに、ゴミ袋２０は内容物の体積に応じて小さくなるので、ゴミ袋２０を持ち上げてゴミ箱１０から分離する場合に比べ、ゴミ箱１０を持ち上げる高さが低くなる。これは、特に大きなゴミ袋２０を用いる場合に有利である。
【００２５】
また、本実施形態のゴミ箱１０は折り畳み可能であるので、使用前後には折り畳んでおくことで、省スペース化を図ることができる。さらに、本実施形態のゴミ箱１０は一枚の板状部材から構成されており、両端の側壁部１１同士を接続するだけで簡単に組み立てることができる。このため、イベント会場などで一時的に用いるような用途に好適に用いることができる。
【００２６】
（他の実施形態）
なお、上記実施形態では、ゴミ箱１０を気泡ボード１００から構成したが、これに限定されるものではなく、例えば低発泡ボード、プラスチック段ボール、紙製段ボールなどから構成してもよい。ただし、紙製段ボールを用いる場合は、表面を防水加工してあるものを用いることが望ましい。
【００２７】
また、上記実施形態では、把持部１２を直線形状からなるコの字状に構成したが、把持部１２を他の形状から構成してもよい。例えば、図６（ａ）に示すように把持部１２をジグザク形状とした場合には、把持部１２と側壁部１１との間に挟まれるゴミ袋２０を抜けにくくすることができる。また、図６（ｂ）に示すように把持部１２におけるユーザが手で握る部分を波形状としたり、図６（ｃ）に示すように把持部１２を曲線から構成することで、ユーザが手で握り易くすることができる。
【図面の簡単な説明】
【００２８】
【図１】上記実施形態のゴミ箱の斜視図である。
【図２】（ａ）は合成樹脂製気泡ボードの斜視図であり、（ｂ）は合成樹脂製気泡ボードを分解した状態を示す斜視図である。
【図３】上記実施形態のゴミ箱の展開図である。
【図４】ゴミ箱へのゴミ袋の取付順序を説明するための説明図である。
【図５】ゴミ箱へのゴミ袋の取外し順序を説明するための説明図である。
【図６】把持部の変形例を示す図である。
【符号の説明】
【００２９】
１０…ゴミ箱、１１…側壁部、１２…把持部、１３…接続部、２０…ゴミ袋。
【図１】
2007137594.tif 000003
【図２】
2007137594.tif 000004
【図３】
2007137594.tif 000005
【図４】
2007137594.tif 000006
【図５】
2007137594.tif 000007
【図６】
2007137594.tif 000008